(57)【要約】  移動ワイヤレス装置において複数のアンテナを通して受信された信号を測定する方法、装置及びコンピュータプログラム製品が開示される。一連の不連続受信サイクルの各サイクル中に一次アンテナ及び二次アンテナの少なくとも１つを通して受信された信号が測定される。移動ワイヤレス装置は、受信して測定された信号の移動平均と所定のスレッシュホールドとの比較に基づき一次アンテナと二次アンテナとの間をスイッチする。一次アンテナを経て受信した信号を首尾良くデコードできないときには、移動ワイヤレス装置は、二次アンテナを経て受信された信号をデコードするようにスイッチする。【選択図】図１
2014524207.tif 000002
【特許請求の範囲】
【請求項１】
ワイヤレスネットワークと通信する移動ワイヤレス装置の複数のアンテナを通して受信した信号を測定する方法であって、
一連の不連続受信サイクルの各サイクル中に一次アンテナ及び二次アンテナの少なくとも１つを通して受信した信号を測定する段階と、
前記測定された受信信号に基づいて一次アンテナと二次アンテナとの間の測定をコントロールするスイッチレートを変化させる段階と、
一次アンテナで受信した信号を首尾良くデコードできないときに、二次アンテナで受信した信号をデコードするようにスイッチする段階と、
を含む方法。
【請求項２】
信号を測定する前記段階は、ワイヤレスネットワークの無線ステーションから受信したパイロット信号に対する信号強度の移動平均を計算することを含み、及び
スイッチレートを変化させる前記段階は、一次アンテナを通して受信されたパイロット信号に対する前記計算された移動平均に少なくとも一部分基づく、
請求項１に記載の方法。
【請求項３】
一次アンテナを通して受信したパイロット信号の前記計算された移動平均が第１の所定スレッシュホールドを越えるときには、一次アンテナのみを通して信号を受信するように前記移動ワイヤレス装置のスイッチレートをセットする段階と、
一次アンテナを通して受信したパイロット信号の前記計算された移動平均が第２の所定スレッシュホールド以上であり且つ前記第１の所定スレッシュホールドより低いときには、一次及び二次の両アンテナから信号を不均一に受信するように前記移動ワイヤレス装置のスイッチレートをセットする段階と、
一次アンテナを通して受信したパイロット信号の前記計算された移動平均が前記第２の所定スレッシュホールドより低いときには、一次及び二次の両アンテナから信号を等しく受信するように前記移動ワイヤレス装置のスイッチレートをセットする段階と、
を更に含む請求項１又は２に記載の方法。
【請求項４】
前記一連の不連続受信サイクルの各サイクルの時間長さに基づいて一次アンテナと二次アンテナとの間で信号受信を交番するように前記移動ワイヤレス装置のスイッチレートをセットする段階を更に含む、請求項１、２又は３に記載の方法。
【請求項５】
前記スイッチレートは、前記一連の不連続受信サイクルの各サイクルの時間長さが増加するときに二次アンテナを通して信号を受信する頻度を高める、請求項４に記載の方法。
【請求項６】
前記移動ワイヤレス装置は、ＵＭＴＳワイヤレスネットワークにおいてＣＥＬＬ＿ＩＤＬＥ状態、ＵＴＲＡ＿ＰＣＨ状態、及びＣＥＬＬ＿ＰＣＨ状態の少なくとも１つで動作するときに前記一連の不連続受信サイクル中に一次アンテナと二次アンテナとの間のスイッチレートを変化させる、請求項３に記載の方法。
【請求項７】
一次アンテナで受信した信号を首尾良くデコードできないとき、及び二次アンテナで受信した信号を首尾良くデコードできないときには、サービス休止回復プロセスを開始する段階を更に含む、請求項１に記載の方法。
【請求項８】
前記サービス休止回復プロセスを開始した後に、
１つ以上のセルから一次アンテナを経て受信した信号の相関ピークを測定することによりワイヤレスネットワークにおいて利用可能なセルをサーチする段階と、
１つ以上のセルの前記測定された相関が第３の所定スレッシュホールドより低いときには、一次アンテナ及び二次アンテナの両方を経て受信した信号の相関ピークを測定することにより受信ダイバーシティをイネーブルする段階と、
を更に含む請求項７に記載の方法。
【請求項９】
一次アンテナに対して測定されたパイロット信号強度の移動平均が、二次アンテナに対して測定されたパイロット信号強度の移動平均を越えるときには、一次アンテナを通して受信した信号に基づいてサービス休止状態を決定する段階と、
二次アンテナに対して測定されたパイロット信号強度の移動平均が、一次アンテナに対して測定されたパイロット信号強度の移動平均を越えるときには、二次アンテナを通して受信した信号に基づいてサービス休止状態を決定する段階と、
を更に含む請求項８に記載の方法。
【請求項１０】
移動ワイヤレス装置の受信ダイバーシティを管理する方法であって、
一連の次々のページサイクル中に第１アンテナ及び第２アンテナの少なくとも１つを通してページインジケータチャンネルでページインジケータを受信する段階と、
第１の複数の次々のページサイクルに対して第１アンテナを通して受信したページインジケータをデコーディングする段階と、
第１アンテナを通して受信した信号に対してデコーディングが失敗したときに、第２の複数の次々のページサイクルに対して第２アンテナを通して受信したページインジケータをデコーディングする段階と、
第１及び第２アンテナを通して個々に受信した信号に対してデコーディングが失敗したときに、第１及び第２の両アンテナを通して一緒に受信したページインジケータをデコーディングする段階と、
を含む方法。
【請求項１１】
第１アンテナを通して信号を受信するとき移動ワイヤレス装置において第１の受信信号チェーンをイネーブルすると共に第２の受信信号チェーンをディスエイブルする段階と、
第２アンテナを通して信号を受信するとき移動ワイヤレス装置において第２の受信信号チェーンをイネーブルすると共に第１の受信信号チェーンをディスエイブルする段階と、
第１アンテナ及び第２アンテナの両方を通して信号を受信するとき移動ワイヤレス装置において第１及び第２の両受信信号チェーンをイネーブルする段階と、
を更に含む請求項１０に記載の方法。
【請求項１２】
ワイヤレスネットワークと通信する移動ワイヤレス装置において、
プロセッサと、
ワイヤレスネットワークとの通信を容易にするように構成されたワイヤレストランシーバと、
第１の受信信号回路に接続された一次アンテナと、
第２の受信信号回路に接続された二次アンテナと、
を備え、前記移動ワイヤレス装置は、
一連の不連続受信サイクルの各サイクル中に、前記第１の受信信号回路に接続された一次アンテナ、及び前記第２の受信信号回路に接続された二次アンテナの少なくとも１つを通して受信した信号を測定し、
一次アンテナ及び二次アンテナを通して受信した信号の測定間のスイッチングをコントロールするスイッチレートを前記測定された受信信号に基づいて変化させ、
一次アンテナを経て受信した信号を首尾良くデコードできないときに、二次アンテナを経て受信した信号をデコードすることにスイッチする、
ように構成された、移動ワイヤレス装置。
【請求項１３】
前記ワイヤレストランシーバは、ワイヤレスネットワークにおいて無線ステーションから受信したパイロット信号に対して信号強度の移動平均を計算することにより受信信号を測定し、
前記ワイヤレストランシーバは、前記計算された移動平均に少なくとも一部分基づいてスイッチレートを変化させる、請求項１２に記載の移動ワイヤレス装置。
【請求項１４】
前記ワイヤレストランシーバは、更に、
一次アンテナを通して受信したパイロット信号の強度の前記計算された移動平均が第１の所定スレッシュホールド以上であるときには、移動ワイヤレス装置の前記スイッチレートを、一次アンテナのみを通して信号を受信するようにセットし、
一次アンテナを通して受信したパイロット信号の強度の前記計算された移動平均が第２の所定スレッシュホールド以上であり且つ前記第１の所定スレッシュホールドより低いときには、移動ワイヤレス装置の前記スイッチレートを、一次アンテナ及び二次アンテナの両方から信号を不均一に受信するようにセットし、及び
一次アンテナを通して受信したパイロット信号の強度の前記計算された移動平均が第２の所定スレッシュホールドより低いときには、移動ワイヤレス装置の前記スイッチレートを、一次アンテナ及び二次アンテナの両方から信号を等しく受信するようにセットする、
ように構成された、請求項１３に記載の移動ワイヤレス装置。
【請求項１５】
前記ワイヤレストランシーバは、更に、一次アンテナを通しての信号の受信と、二次アンテナを通しての信号の受信との間の移動ワイヤレス装置の前記スイッチレートを、前記一連の不連続受信サイクルの各サイクルの時間の長さに基づいてセットするように構成される、請求項１４に記載の移動ワイヤレス装置。
【請求項１６】
一次アンテナを通しての信号の受信と、二次アンテナを通しての信号の受信との間の移動ワイヤレス装置の前記スイッチレートは、前記一連の不連続受信サイクルの各サイクルの時間の長さが増加するときに、二次アンテナの使用頻度を下げるものである、請求項１５に記載の移動ワイヤレス装置。
【請求項１７】
前記プロセッサは、一次アンテナを経て受信した信号を首尾良くデコードできず且つ二次アンテナを経て受信した信号を首尾良くデコードできないときにサービス休止回復プロセスを開始するように構成される、請求項１４に記載の移動ワイヤレス装置。
【請求項１８】
前記トランシーバは、更に、
１つ以上のセルから一次アンテナを経て受信した信号の相関ピークを測定することによりワイヤレスネットワークにおいて利用可能なセルをサーチし、及び
１つ以上のセルの前記測定された相関が第３の所定スレッシュホールドより低いときには、一次アンテナ及び二次アンテナの両方を経て受信した信号の相関ピークを測定することにより受信ダイバーシティをイネーブルする、
ように構成される、請求項１７に記載の移動ワイヤレス装置。
【請求項１９】
前記プロセッサは、更に、
一次アンテナに対して測定されたパイロット信号強度の計算された移動平均が、二次アンテナに対して測定されたパイロット信号強度の計算された移動平均を越えるときには、一次アンテナを通して受信した信号に基づいてサービス休止状態を決定し、及び
二次アンテナに対して測定されたパイロット信号強度の計算された移動平均が、一次アンテナに対して測定されたパイロット信号強度の計算された移動平均を越えるときには、二次アンテナを通して受信した信号に基づいてサービス休止状態を決定する、
ように構成された、請求項１８に記載の移動ワイヤレス装置。
【請求項２０】
ワイヤレスネットワークと通信する移動ワイヤレス装置において受信信号を測定するための実行可能なコンピュータコードを含むコンピュータプログラムであって、
対応するアナログ受信信号回路に各々接続された複数のアンテナの少なくとも１つを通して受信した信号を測定するためのコンピュータコードと、
前記測定された信号に基づいてアナログ受信信号回路をイネーブル及びディスエイブルするためのコンピュータコードと、
複数のアンテナの各アンテナ間及びそれに対応するアナログ受信信号回路間のスイッチレートを、複数のアンテナの一次アンテナから受信した測定された信号に少なくとも基づいて変化させるためのコンピュータコードと、
を含むコンピュータプログラム。
【請求項２１】
前記信号を測定することは、ワイヤレスネットワークの無線ステーションから受信したパイロット信号に対する信号強度の移動平均を計算することを含み、
前記スイッチレートを変化させることは、前記計算されたパイロット信号強度移動平均に少なくとも一部分基づく、請求項２０に記載のコンピュータプログラム。
【請求項２２】
一次アンテナを通して受信したパイロット信号の強度の前記計算された移動平均が第１の所定スレッシュホールド以上であるときには、移動ワイヤレス装置の前記スイッチレートを、一次アンテナのみを経て信号を受信するようにセットするコンピュータコードと、
一次アンテナを通して受信したパイロット信号の前記計算された移動平均が第２の所定スレッシュホールド以上であり且つ前記第１の所定スレッシュホールドより低いときには、移動ワイヤレス装置の前記スイッチレートを、一次アンテナ及び二次アンテナの両方から信号を不均一に受信するようにセットするコンピュータプログラムコードと、
一次アンテナを通して受信したパイロット信号の強度の前記計算された移動平均が第２の所定スレッシュホールドより低いときには、移動ワイヤレス装置の前記スイッチレートを、一次アンテナ及び二次アンテナの両方から信号を等しく受信するようにセットするコンピュータプログラムコードと、
を更に含む、請求項２１に記載のコンピュータプログラム。
【請求項２３】
一次アンテナを通して及び二次アンテナを通して信号を受信するための移動ワイヤレス装置の前記スイッチレートを、少なくとも一連の不連続受信サイクルの各サイクルの時間の長さに基づいてセットするコンピュータプログラムコードを更に含む、請求項２２に記載のコンピュータプログラム。
【請求項２４】
一次アンテナから測定されたパイロット信号の信号強度の移動平均が二次アンテナから測定されたものより大きいときには一次アンテナのみを通して受信した信号に対して相関ピークを測定し、
二次アンテナから測定されたパイロット信号の信号強度の移動平均が一次アンテナから測定されたものより大きいときには二次アンテナのみを通して受信した信号に対して相関ピークを測定し、及び
一次アンテナのみを通して及び二次アンテナのみを通して受信した信号に対する測定された相関ピークが各々所定スレッシュホールドより低いときには一次アンテナ及び二次アンテナの両方を通して受信した信号に対して相関ピークを測定する、
ことにより移動ワイヤレス装置に対してサービス休止状態を決定するためのコンピュータプログラムコードを更に含む、請求項２３に記載のコンピュータプログラム。
【発明の詳細な説明】
【技術分野】
【０００１】
本発明は、ワイヤレス移動装置における受信アンテナダイバーシティをコントロールすることに関するもので、より詳細には、ユニバーサル移動テレコミュニケーションシステム（ＵＭＴＳ）のようなワイヤレスネットワークと通信するユーザ装置（ＵＥ）のような移動ワイヤレス装置の幾つかの状態の間に複数の受信器を選択的にイネーブル及びディスエイブルすることに関する。
【背景技術】
【０００２】
ユニバーサル移動テレコミュニケーションシステム（ＵＭＴＳ）は、テキスト、デジタル音声、ビデオ及びマルチメディアを送信するためのブロードバンドパケットベースシステムである。ＵＭＴＳベースのシステムでは、ユーザ装置（ＵＥ）とも称される移動ワイヤレス装置は、「アイドルモード」又は「接続モード」にある。アイドルモードでは、ＵＥは、ユーザデータをワイヤレスネットワークへ送信し、音声接続を開始し、そしてページに応答してワイヤレスネットワークから音声接続又はデータを受け取るために、ワイヤレスネットワークからの無線リソースコントロール（ＲＲＣ）接続を要求することができる。ＵＥは、回路がアクティブになるときを最少にし、及び応答すべき接続開始メッセージについてネットワークを監視しながら使用される回路を最少にすることにより、アイドルモード又は接続モードにおいてバッテリの消費を減少することができる。アイドルモード又は接続モードにおいて、ＵＥは、無線受信性能を改善するために必要なときに付加的な回路を使用する。従って、ＵＥは、ＵＥ内の電力消費回路を選択的にイネーブル及びディスエイブルすることにより必要に応じてワイヤレス性能改善のために電力消費の折り合いをつけることができる。
【０００３】
ワイヤレスネットワークに接続されたとき、ＵＥは、４つの状態の１つにある。各々の接続状態は、ＵＥのバッテリから異なる量の電力を消費する。
ＣＥＬＬ−ＤＣＨ：データを交換するためにアップリンク及びダウンリンク方向においてＵＥに専用チャンネルが割り当てられる。ＵＥがＣＥＬＬ−ＤＣＨ状態においてアクティブに送信及び受信を行うとき、この状態は、最も電力を消費する。
ＣＥＬＬ−ＦＡＣＨ：ＵＥに専用チャンネルは割り当てられず、むしろ、共通のチャンネルを使用して、少量のバーストデータを交換する。ＵＥは、この状態では送信及び受信能力が限定されるが、依然「アクティブ」であって、ＣＥＬＬ−ＤＣＨ状態より低いレベルではあるが電力を消費し続けると考えられる。
ＣＥＬＬ−ＰＣＨ：ＵＥは、不連続受信（ＤＲＸ）を使用して、ページングインジケータチャンネル（ＰＩＣＨ）を通る放送メッセージ及びページを監視し、アップリンクアクティビティは考えられない。アップリンク送信がなく、限定されたダウンリンク送信がある状態で、ＵＥは、この状態では、ＣＥＬＬ−ＤＣＨ及びＣＥＬＬ−ＦＡＣＨ状態よりも電力を消費しない。又、放送メッセージ及びページを監視するときにＵＥに最小セットの回路を使用することにより電力消費を最少にすることもできる。
ＵＲＡ−ＰＣＨ：ＵＲＡ再選択を通してＵＴＲＡＮ登録エリア（ＵＲＡ）ＵＰＤＡＴＥ手順がトリガーされる以外は、ＣＥＬＬ−ＰＣＨと同様である。
【０００４】
ワイヤレスネットワークと通信しないときに、ＵＥは、入呼び又はデータを指示できる放送メッセージ及びページのためのページインジケータチャンネルを監視するために一連の次々のＤＲＸサイクル中に「スリープ」及び周期的な「ウェイク」によりバッテリ電力を保存することができる。又、ＵＥは、ＤＲＸサイクルの「ウェイク」部分中に更新されたワイヤレスネットワークシステム情報も受信する。「アスリープ」時に、ＵＥは、電力消費を最少にするためほとんどのアクティブ回路をディスエイブルする。「アウェイク」時に、ＵＥは、限定されたアクティブな回路を使用して、電力消費を最少にすると共に、測定された動作状態に基づいて必要に応じてアクティブな回路を選択的に追加して、性能を維持又は改善することができる。ＤＲＸサイクルの「アウェイク」部分中に、ＵＥは、たとえそれが複数のアンテナ及び複数の受信信号チェーンを含んでいても、ＵＥのバッテリからの電流の引き出しを制限するため、典型的に、１つの受信信号チェーンに接続された１つのアンテナを通して信号を受け取る。しかしながら、弱い信号のカバレージを伴うワイヤレスネットワークのエリアに位置するときには、ＵＥは、ページを正しく受信することができないか、又は単独の動作アンテナ及び受信信号チェーンを通して受信した弱い信号の測定値に基づいて「サービス休止(out of service)」状態を宣言する。ＵＥの信号カバレージを改善して、ワイヤレスネットワークからのページを検出しそしてワイヤレスネットワークとの接続を維持するために、ＵＥにおける２つ以上のアンテナ及び受信信号チェーンの選択的使用を具現化して、バッテリ電力消費の減少と性能の向上とのバランスをとることができる。この選択的な使用は、選択的受信ダイバーシティと称される。
【発明の概要】
【発明が解決しようとする課題】
【０００５】
それ故、ワイヤレスネットワークと通信する移動ワイヤレス装置のある動作状態中に複数の受信器の１つ以上を選択的にイネーブル及びディスエイブルするための方法及び装置が要望される。
【課題を解決するための手段】
【０００６】
本書は、ワイヤレス移動装置における受信アンテナダイバーシティをコントロールし、より詳細には、ユニバーサル移動テレコミュニケーションシステム（ＵＭＴＳ）のようなワイヤレスネットワークと通信するユーザ装置（ＵＥ）のような移動ワイヤレス装置の幾つかの状態の間に複数の受信器を選択的にイネーブル及びディスエイブルするための方法、装置、及びコンピュータプログラム製品に関する種々の実施形態について述べる。
【０００７】
一実施形態において、ワイヤレスネットワークと通信する移動ワイヤレス装置の複数のアンテナを通して受信した信号を測定する方法であって、少なくとも次のステップを含む方法を説明する。第１のステップにおいて、移動ワイヤレス装置は、一連の不連続受信サイクルにおける各サイクル中に一次アンテナ及び二次アンテナの少なくとも１つを通して受信された信号を測定する。その後のステップにおいて、移動ワイヤレス装置は、測定された受信信号に基づいて一次アンテナと二次アンテナとの間の測定をコントロールするスイッチレートを変化させる。別のステップにおいて、一次アンテナで受信した信号を首尾良くデコードできないとき、移動ワイヤレス装置は、二次アンテナで受信した信号をデコードするようにスイッチする。一実施形態において、移動ワイヤレス装置は、ワイヤレスネットワークの無線ステーションからアンテナを通して受信したパイロット信号の信号強度の移動平均を計算することにより信号を測定する。移動ワイヤレス装置は、一次アンテナを通して受信したパイロット信号の計算された移動平均に少なくとも一部分基づいてスイッチレートを変化させる。幾つかの実施形態において、移動ワイヤレス装置は、アンテナを通して受信した信号の計算された移動平均を所定のスレッシュホールドと比較して、一次アンテナと二次アンテナとの間のスイッチレートの頻度を決定する。
【０００８】
一実施形態において、移動ワイヤレス装置の受信ダイバーシティを管理するための方法であって、少なくとも次のステップを含む方法を説明する。第１のステップにおいて、移動ワイヤレス装置は、一連の次々のページサイクル中に第１アンテナ及び第２アンテナの少なくとも１つを通してページインジケータチャンネルにページインジケータを受信する。その後のステップにおいて、移動ワイヤレス装置は、第１の複数の次々のページ採掘に対して第１のアンテナを通して受信したページインジケータをデコードする。第１の複数の次々のページサイクル中に第１のアンテナを通して受信した信号に対してデコーディングが失敗となったときには、移動ワイヤレス装置は、第２の複数の次々のページサイクルに対して第２のアンテナを通して受信したページインジケータをデコードする第１及び第２のアンテナを通してここに受信した信号に対してデコーディングが失敗となったときには、移動ワイヤレス装置は、第１及び第２の両方のアンテナを通して一緒に受信したページインジケータをデコードする。一実施形態では、移動ワイヤレス装置は、移動ワイヤレス装置がどのアンテナを通して信号を受信したかに基づいて移動ワイヤレス装置の受信信号チェーンを選択的にイネーブル及びディスエイブルする。
【０００９】
一実施形態において、移動ワイヤレス装置について説明する。移動ワイヤレス装置は、少なくとも、プロセッサと、ワイヤレスネットワークとの通信を容易にするように構成されたワイヤレストランシーバと、第１の受信信号回路に接続された一次アンテナと、第２の受信信号回路に接続された二次アンテナとを備えている。移動ワイヤレス装置は、一連の不連続受信サイクルの各サイクル中に第１の受信信号回路に接続された一次アンテナ、及び第２の受信信号回路に接続された二次アンテナ、の少なくとも１つを通して受信した信号を測定するように構成される。又、移動ワイヤレス装置は、第１の受信信号回路に接続された一次アンテナ、及び第２の受信信号回路に接続された二次アンテナを通して受信した測定信号間のスイッチングをコントロールするスイッチレートを変化させるようにも構成される。一次アンテナで受信した信号を首尾良くデコードできない場合には、移動ワイヤレス装置は、二次アンテナで受信した信号をデコードするようスイッチするようにも構成される。
【００１０】
一実施形態において、ワイヤレスネットワークと通信する移動ワイヤレス装置の受信信号を測定するための実行可能なコンピュータコードを記憶する非一時的なコンピュータプログラム製品について説明する。コンピュータプログラム製品は、少なくとも、次のコンピュータプログラムコードを含む。対応するアナログ受信信号回路に各々接続された複数のアンテナの少なくとも１つを通して受信した信号を測定するためのコンピュータプログラムコード。測定された信号に基づいてアナログ受信信号回路をイネーブル及びディスエイブルするためのコンピュータプログラムコード。複数のアンテナの各アンテナ間、及びそれに対応するアナログ受信信号回路間のスイッチレートを、少なくとも、複数のアンテナの一次アンテナから受信した測定された信号に基づいて変化させるためのコンピュータプログラムコード。
【００１１】
ここに述べる実施形態及びその効果は、添付図面を参照した以下の詳細な説明から最も良く理解されるであろう。
【図面の簡単な説明】
【００１２】
【図１】一般的なワイヤレスネットワークの代表的な要素を示す。
【図２】ＵＭＴＳワイヤレスネットワークの代表的な要素を示す。
【図３】ＣＤＭＡ２０００ネットワークの代表的な要素を示す。
【図４】ＬＴＥネットワークの代表的な要素を示す。
【図５】移動ワイヤレス装置の選択コンポーネントを示す。
【図６】ここに述べる実施形態による移動ワイヤレス装置状態変化図である。
【図７】ワイヤレスネットワークの複数の無線セクタから受け取られたパイロット信号を測定する移動ワイヤレス装置を示す。
【図８】選択的受信ダイバーシティを使用する移動ワイヤレス装置の１つのアンテナ間の代表的なスイッチレートを示す。
【図９】一次アンテナのパーセント使用頻度と、一次アンテナを経て受信した測定信号強度との間の関係を示す。
【図１０】ワイヤレスネットワークとの基本的関連性を得るときの移動ワイヤレス装置の状態変化図である。
【図１１】移動ワイヤレス装置における受信ダイバーシティを適応させる方法の一実施形態を示す。
【図１２】移動ワイヤレス装置におけるページデコーディングのための受信ダイバーシティを選択する方法の一実施形態を示す。
【図１３】移動ワイヤレス装置における信号デコーディングのための受信ダイバーシティを選択する方法の一実施形態を示す。
【図１４】移動ワイヤレス装置におけるページデコーディングのための受信ダイバーシティを選択する方法の別の実施形態を示す。
【図１５】測定された受信信号に基づいて受信ダイバーシティを選択する方法の更に別の実施形態を示す。
【発明を実施するための形態】
【００１３】
以下の説明において、ここに述べる実施形態の基礎となる概念を完全に理解するために多数の特定の細部について述べる。しかしながら、当業者であれば、ここに述べる実施形態は、それら特定の細部の幾つか又は全部がなくても実施できることが明らかであろう。他の点については、基礎的な概念を不必要に不明瞭にしないために良く知られたプロセスステップは詳細に説明しない。
【００１４】
以下の実施例及び実施形態は、ワイヤレス移動装置における受信アンテナダイバーシティをコントロールし、特に、ユニバーサル移動テレコミュニケーションシステム（ＵＭＴＳ）のようなワイヤレスネットワークと通信するユーザ装置（ＵＥ）のような移動ワイヤレス装置の幾つかの状態の間に複数の受信器を選択的にイネーブル及びディスエイブルするための種々の方法及び装置を説明する。しかしながら、同じ方法及び装置の他の具現化を、他の形式のワイヤレスネットワークに使用される移動ワイヤレス装置に適用できることが理解されよう。例えば、同じ技術を、コード分割多重アクセス（ＣＤＭＡ）ネットワーク、ワイドバンドＣＤＭＡ（Ｗ−ＣＤＭＡ）ネットワーク、長期進化（ＬＴＥ）ネットワーク、或いは音声及びパケットデータワイヤレス通信を使用する他のネットワークにも適用することができる。一般的に、ここに述べる技術は、無線アクセス技術をベースとするワイヤレスネットワークで動作する移動ワイヤレス装置に適用することができる。ここに述べる特定の実施例及び具現化は、簡単化のためＵＭＴＳネットワークに関連して表現するが、他のワイヤレスネットワーク環境にも適用できる。ＵＭＴＳ以外のネットワーク形式については、ネットワーク形式に基づいてネットワーク要素を適当に選択することができる。
【００１５】
特定の実施例において、本発明のシステム及び方法は、１つ以上のアンテナを通して移動ワイヤレス装置で受信した測定された信号に基づき移動ワイヤレス装置の関連受信信号回路を通して２つの異なるアンテナ間で信号受信のスイッチレートを変化させる。移動ワイヤレス装置は、１つ以上のアンテナを通して関連受信信号回路で信号を受信し、その受信信号回路は、移動ワイヤレス装置のプロセッサにより選択的にイネーブル及びディスエイブルされる。典型的に、受信信号回路は、受信増幅器、周波数シフト回路、及びアナログ／デジタルコンバータのようなアナログ受信回路を含む。このアナログ受信回路は、アナログ受信信号チェーンとも称される。一次アンテナ及びその関連受信信号回路を経て受信した信号の強度が充分に高いことが、受信信号強度の計算された移動平均と第１の所定スレッシュホールドとの比較により決定されると、移動ワイヤレス装置は、一次アンテナ及び関連受信信号回路を通して信号を受信することを選択できる。移動ワイヤレス装置における一次アンテナ及びその関連受信信号回路以外の付加的なアンテナ及び関連受信信号回路は、バッテリ電力を保存するためにディスエイブルすることができる。
【００１６】
一次アンテナを通して受信した信号強度の計算された移動平均が第１の所定スレッシュホールドより下がると、移動ワイヤレス装置は、ある時間インターバル中に二次アンテナ及びそれに関連する１組のアナログ受信回路を選択的にイネーブルして、別の経路を通る信号を測定する。一次アンテナを通して受信した信号強度の移動平均に加えて、二次アンテナを通して受信した信号強度の移動平均を測定することができる。二次アンテナ及び関連信号回路は、各Ｎ個の次々の不連続受信サイクルの１つの間に選択的にイネーブルすることができる。Ｎ個の次々の不連続受信サイクルの残りのＮ−１個の間に、一次アンテナ及び関連信号回路を選択的にイネーブルすることができると同時に、二次アンテナ及び関連信号回路を選択的にディスエイブルすることができる。一次アンテナと二次アンテナとの間の交番は、移動ワイヤレス装置の回路の電力消費を、完全同時受信ダイバーシティの使用時（両アンテナ及び関連信号回路をイネーブルする）より低く保つことができる。
【００１７】
移動ワイヤレス装置は、ワイヤレスネットワークの無線送信ステーションにより連続的に送信されるパイロット信号を使用して受信信号の移動平均を計算することができる。受信したパイロット信号強度の計算された移動平均に基づいて、移動ワイヤレス装置は、一連の不連続繰り返しサイクル中に一次アンテナと二次アンテナとの間のスイッチレートを変更することができる。アンテナ間のスイッチングは、選択的受信ダイバーシティを与える。一次アンテナを通るパイロット信号強度の計算された移動平均の値が高い場合には、移動ワイヤレス装置は、一次アンテナを二次アンテナより頻繁に使用するようにスイッチレートをバイアスすることができる。一次アンテナを通るパイロット信号強度の計算された移動平均の値が次第に低くなる場合には、第２の所定スレッシュホールドより低くなって、一次アンテナと二次アンテナが等しく使用されるまで、二次アンテナを次第に頻繁に使用することができる。受信信号強度がかなり低く、一次アンテナ又は二次アンテナ単独では受信信号の正しいデコーディングを達成できないときには、両アンテナを同時にイネーブルして、両アンテナからの信号を合成し、完全な受信ダイバーシティを与えることができる。
【００１８】
上述したように、１組の複数のアンテナ及び関連受信信号回路における１つ以上のアンテナからの信号を使用して、ＵＭＴＳネットワークで動作する移動ワイヤレス装置に対して不連続受信サイクル中にパイロット信号の検出を改善することができる。不連続な受信は、移動ワイヤレス装置がＣＥＬＬ−ＩＤＬＥモード、ＣＥＬＬ−ＰＣＨモード及びＵＲＡ−ＰＣＨモードの１つにあるときを含めて、多数の異なる動作モードのいずれかにおいて移動ワイヤレス装置により使用することができる。選択的な受信ダイバーシティを使用して、これらモードのいずれにおいても（又は別の技術を使用するワイヤレスネットワークで不連続受信を行う同等のモードの間に）信号の受信を向上させることができる。サービス休止決定及びそこからの回復は、同じ移動ワイヤレス装置において一次アンテナ又は二次アンテナから受け取った信号を使用することができる。低い値の移動平均をもつ信号を使用するのではなく、サービス休止状態をいつ宣言すべきか決定するために、高い値の移動平均、即ち高い受信信号強度を有する受信信号が選択される。強い信号を使用することにより、移動ワイヤレス装置は、他のアンテナは弱い信号を受信するが、１つのアンテナだけが充分に強い信号を受信するときに、潜在的にサービスをより長く保持することができる。サービス休止状態がトリガーされたとき、２つ以上のアンテナ及び受信信号回路は、同時にイネーブルされて、信号を受信すると共に、更なる通信のために関連付けすべき充分に強い信号をもつセルを探索することができる。
【００１９】
又、受信ダイバーシティは、ページング指示チャンネルを経て受信されるページングインジケータのデコーディングを改善するために移動ワイヤレス装置に使用することもできる。ページングデコードの失敗が１つのアンテナで生じたとき、移動ワイヤレス装置は、ワイヤレスネットワークとの接続が失われたことを決定する前に、別のアンテナへ切り換えて、１つ以上のアンテナを通してページングインジケータをデコードするよう試みる。ページインジケータデコーディングのために、一次アンテナが最初に使用され、その後、二次アンテナが、その後、両方のアンテナが使用される。或いは又、他のアンテナ又はアンテナの組み合わせを試みる前に（受信信号強度の以前の測定に基づいて）最も強い信号のアンテナを使用することができる。
【００２０】
これら及び他の実施形態は、図１から１５を参照して以下に説明する。しかしながら、当業者であれば、それらの図面を参照してここに述べる詳細な説明は、単なる例示に過ぎず、それに限定されるものでないことが容易に明らかであろう。
【００２１】
図１は、代表的な一般的ワイヤレス通信ネットワーク１００を示すもので、このネットワークは、複数の移動ワイヤレス装置１０２を備え、それら移動ワイヤレス装置は、無線リンク１２６により、無線アクセスネットワーク１２８により与えられる無線セクタ１０４に接続される。各無線セクタ１０４は、選択された周波数の無線周波数キャリアを使用して関連無線ノード１０８から発する無線カバレージの地理的エリアを表わす。無線セクタ１０４は、中央に置かれた無線ノード１０８からほぼ円形又は六角形で発生するか、或いは角に置かれた無線ノード１０８から方向性アンテナのために円錐形状で発生する、等の、アンテナ形状に基づく異なる幾何学的形状を有する。無線セクタ１０４は、地理的エリアカバレージが重畳していて、移動ワイヤレス装置１０２は、２つ以上の無線セクタ１０４から信号を同時に受信することができる。各無線ノード１０８は、１つ以上の無線セクタ１０４を発生し、移動ワイヤレス装置１０２は、１つ以上の無線リンク１２６によりそれに接続することができる。あるワイヤレスネットワーク１００では、移動ワイヤレス装置１０２は、２つ以上の無線セクタ１０４へ同時に接続することができる。移動ワイヤレス装置１０２が接続される複数の無線セクタ１０４は、単一の無線ノード１０８から、又は共通の無線コントローラ１１０を共有する個別の無線ノード１０８から発生することができる。無線ノード１０８のグループは、関連する無線コントローラ１１０と一緒に、無線アクセスサブシステム１０６と称される。典型的に、無線アクセスサブシステム１０６の各無線ノード１０８は、アンテナタワーにマウントされた１組の高周波送信及び受信装置を含み、そして無線ノード１０８に接続された無線コントローラ１１０は、送信及び受信された高周波信号をコントロールし及び処理するための電子装置を含む。無線コントローラ１１０は、移動ワイヤレス装置１０２を無線アクセスネットワーク１２８へ接続する無線リンク１２６の確立、維持及び解除を管理することができる。
【００２２】
移動ワイヤレス装置１０２への高周波エアリンク接続を与える無線アクセスネットワーク１２８は、コアネットワーク１１２へも接続され、これは、音声トラフィックのために通常使用される回路交換ドメイン１２２と、データトラフィックのために通常使用されるパケット交換ドメイン１２４とを含む。無線アクセスネットワーク１２８の無線アクセスサブシステム１０６の無線コントローラ１１０は、コアネットワーク１１２の回路交換ドメイン１１２の回路交換センタ１１８と、パケット交換ドメインのパケット交換ノード１２０との両方に接続される。回路交換センタ１１８は、音声コールのような回路交換トラフィックを公衆交換電話ネットワーク（ＰＳＴＮ）１１４へルーティングする。パケット交換ノード１２０は、データパケットの「無接続」セットのようなパケット交換トラフィックを公衆データネットワーク（ＰＤＮ）１１６へルーティングすることができる。
【００２３】
図２は、代表的なＵＭＴＳワイヤレス通信ネットワーク２００を示し、このネットワークは、１つ以上のユーザ装置（ＵＥ）２０２を備え、これらユーザ装置は、ＵＭＴＳ地上無線アクセスネットワーク（ＵＴＲＡＮ）２４２と通信することができ、これは、コアネットワーク（ＣＮ）２３６に接続される。このコアネットワーク２３６は、ＵＥ２０２を公衆交換電話ネットワーク（ＰＳＴＮ）２３２へ接続する回路交換ドメイン２３８と、ＵＥ２０２をパケットデータネットワーク（ＰＤＮ）２３４へ接続するパケット交換ドメイン２４０とを備えている。ＵＴＲＡＮ２４２は、１つ以上の無線ネットワークサブシステム（ＲＮＳ）２０４／２１４を備え、その各々は、無線ネットワークコントローラ（ＲＮＣ）２０８／２１２と、対応するＲＮＣにより管理される１つ以上のＮｏｄｅ−Ｂ（ベースステーション）２０６／２１０／２１６とを備えている。ＵＴＲＡＮ２４２内のＲＮＣ２０８／２１２は、コントロール情報を交換し、そしてＵＥ２０２から受信され及びＵＥ２０２へ向けられるパケットを管理するために相互接続される。各ＲＮＣ２０８／２１２は、ＵＥ２０２をワイヤレスネットワーク２００に接続するところのセル２４４に対する無線リソースの指定及び管理を取り扱うと共に、コアネットワーク２３６に対してＵＥ２０２のアクセスポイントとして動作することができる。Ｎｏｄｅ−Ｂ２０６／２１０／２１６は、ＵＥ２０２の物理的レイヤによりアップリンクを通して送信された情報を受信し、及びダウンリンクを通してＵＥ２０２へデータを送信すると共に、ＵＥ２０２に対してＵＴＲＡＮ２４２のアクセスポイントとして動作することができる。
【００２４】
ＵＴＲＡＮ２４２は、ＵＥ２０２とコアネットワーク２３６との間で通信するための無線アクセスベアラ（ＲＡＢ）を構成しそして維持する。ここに述べる実施形態では、特定のＵＥ２０２に提供されるサービスは、回路交換（ＣＳ）サービス及びパケット交換（ＰＳ）サービスを含む。例えば、一般的な音声会話は、回路交換サービスを通して搬送され、一方、ウェブブラウジングアプリケーションは、パケット交換（ＰＳ）サービスとして分類できるインターネット接続を通してワールドワイドウェブ（ＷＷＷ）へのアクセスを与える。回路交換サービスをサポートするため、ＲＮＣ２０８／２１２は、コアネットワーク２３６の移動交換センタ（ＭＳＣ）２２８へ接続され、そしてＭＳＣ２２８は、ゲートウェイ移動交換センタ（ＧＭＳＣ）２３０へ接続され、これは、ＰＳＴＮ２３２のような他のネットワークへの接続を管理する。パケット交換サービスをサポートするために、ＲＮＣ２０８／２１２は、サービング汎用パケット無線サービス（ＧＰＲＳ）サポートノード（ＳＧＳＮ）２２４にも接続され、これは、コアネットワーク２３６のゲートウェイＧＰＲＳサポートノード（ＧＧＳＮ）２２６に接続される。ＳＧＳＮ２２４は、ＲＮＣ２０８／２１２とのパケット通信をサポートし、そしてＧＧＳＮ２２６は、ＰＤＮ２３４のような他のパケット交換ネットワークとの接続を管理する。代表的なＰＤＮ２３４は、「インターネット」である。
【００２５】
図３は、一般的なワイヤレスネットワーク１００及びＵＭＴＳワイヤレスネットワーク２００について上述したものと同等の要素を含む代表的なＣＤＭＡ２０００ワイヤレスネットワーク３００を示している。複数の移動ステーション３０２は、高周波リンク３２６を通して１つ以上の無線セクタ３０４に接続される。各無線セクタ３０４は、ベーストランシーバステーション（ＢＴＳ）３０８から発生し、これは、ベースステーションコントローラ（ＢＳＣ）３１０に接続されて、ベースステーションサブシステム（ＢＳＳ）３０６を形成する。複数のベースステーションサブシステム３０６を集合して、無線アクセスネットワーク３２８を形成することができる。異なるベースステーションサブシステム３０６のベースステーションコントローラ３１０を相互接続することができる。ベースステーションコントローラ３１０は、複数の移動交換センタ（ＭＳＣ）３１８を使用する回路交換ドメイン３２２と、パケットデータサービスノード（ＰＤＳＮ）３２０で形成されるパケット交換ドメイン３２４との両方に接続され、それらは、一緒に、ワイヤレスネットワーク３００のためのコアネットワーク３１２を構成する。上述した他のワイヤレスネットワーク１００／２００と同様に、コアネットワーク３１２の回路交換ドメイン３２２は、ＰＳＴＮ１１４に相互接続され、一方、コアネットワーク３１２のパケット交換ドメイン３２４は、ＰＤＮ１１６に相互接続される。
【００２６】
図４は、パケット交換ネットワークとして排他的に設計された代表的な長期進化（ＬＴＥ）ワイヤレスネットワーク４００を示す。移動ターミナル４０２は、進化型ＮｏｄｅＢ（ｅＮｏｄｅＢ）４１０から発生する無線セクタ４０４に関連した無線リンク４２６を通して進化型無線アクセスネットワーク４２２に接続される。ｅＮｏｄｅＢ４１０は、送信及び受信ベースステーション（ＵＭＴＳネットワーク２００のＮｏｄｅＢ２０６及びＣＤＭＡ２０００ネットワーク３００のＢＴＳ３０８のような）、並びにベースステーション無線コントローラ（ＵＭＴＳネットワーク２００のＲＮＣ２１２及びＣＤＭＡ２０００ネットワーク３００のＢＳＣ３１０のような）の両方の機能を含む。ＬＴＥワイヤレスネットワーク４００の等価コアネットワークは、進化型パケットコアネットワーク４２０であり、これは、進化型無線アクセスネットワーク４２２を公衆データネットワーク（ＰＤＮ）ゲートウェイ４１６に相互接続するサービングゲートウェイ４１２を含み、ＰＤＮゲートウェイ４１６は、外部のインターネットプロトコル（ＩＰ）ネットワーク４１８に接続される。複数のｅＮｏｄｅＢ４１０を一緒にグループ編成して、進化型ＵＴＲＡＮ（ｅＵＴＲＡＮ）４０６を形成することができる。ｅＮｏｄｅＢ４１０は、移動管理エンティティ（ＭＭＥ）４１４にも接続され、このＭＭＥ４１４は、移動ターミナル４０２の接続にわたってコントロールを与える。
【００２７】
図５は、トランシーバ（ＸＣＶＲ）５０４に接続されたアプリケーションプロセッサ（ＡＰ）５０２を含む移動ワイヤレス装置１０２のための選択代表的処理要素５００を示している。ＡＰ５０２は、移動ワイヤレス装置１０２とワイヤレスネットワーク１００との音声及びデータ接続を開始し及び終了させる。又、ＡＰ５０２は、移動ワイヤレス装置１０２とワイヤレスネットワーク１００とのアクティブな接続の監視及び保守を管理すると共に、動作状態及び性能パラメータを評価して、移動ワイヤレス装置１０２の動作特性を向上させるための受信ダイバーシティの使用を決定する。ＸＣＶＲ５０４は、複数の送信及び受信信号処理回路、典型的に、アナログ回路に接続され、この回路は、個別のデジタルデータ表現（デジタル音声を含む）と、無線リンク１２６を経てワイヤレスネットワーク１００に送信するのに適した連続的アナログ高周波信号表現との間で変換を行うことができる。一次送信及び受信（ＴＸ／ＲＸ）信号チェーン（回路）５０６は、ＸＣＶＲ５０４を一次アンテナ５１０に接続する。同様に、二次送信及び受信信号チェーン５０８は、ＸＣＶＲ５０４を二次アンテナ５１２に接続する。一次アンテナ５１０及び二次アンテナ５１２は、移動ワイヤレス装置１０２のケーシング内（又はケーシング上）の異なる物理的位置に配置され、それにより、移動ワイヤレス装置１０２の種々の方向に対して異なるアンテナに異なる受信能力を与えることができる。１つのアンテナにおいて見掛け上弱い受信高周波信号は、同時に、別のアンテナにおいて見掛け上強く、それ故、一次アンテナ５１０及び二次アンテナ５１２の両方を通して受信した高周波信号を並列処理することにより、１つの特定のアンテナのみを通して受信する場合に比して性能を改善することができる。移動ワイヤレス装置１０２における受信ダイバーシティは、弱い信号カバレージのエリア（即ち、ワイヤレスネットワークの部分）において実質的な性能効果を与えることができる。
【００２８】
図５に示す一次ＴＸ／ＲＸ５０６、及び二次ＲＸ／ＴＸ５０８のような複数の受信信号チェーンを使用する受信ダイバーシティでは、同時に動作すると、単一の受信信号チェーン単独の場合より、移動ワイヤレス装置１０２のバッテリから著しく多くの電力が消費される。特に、ＣＥＬＬ−ＩＤＬＥ、ＣＥＬＬ−ＰＣＨ及びＵＲＡ−ＰＣＨ状態のような、低（又は少なくとも低い）電力消費に意図されたある動作状態の間には、電力消費と受信信号強度のバランスをとることが要求されるまで、受信ダイバーシティの使用を制限することが好ましい。強い受信信号のエリアにおいて移動ワイヤレス装置１０２を動作するときには、ＡＰ５０２は、一次ＴＸ／ＲＸ５０６又は二次ＴＸ／ＲＸ５０８のような１つの受信信号チェーンを単独で使用することができる。典型的に、一次ＴＸ／ＲＸ５０６は、デフォールト受信信号チェーンとして指定される。弱い受信信号のエリアにおいて移動ワイヤレス装置１０２を動作するときには、ＡＰ５０２は、複数の受信信号チェーンのどれが最も強い信号を与えそしてその信号チェーンを使用するか決定することができる。移動ワイヤレス装置１０２は、異なる信号チェーンを通して周期的に性能を監視して、性能の変化と、別の信号チェーンを使用する（又は複数の信号チェーンを同時に使用する）潜在的な利益とを決定することができる。全ての受信信号チェーンを通して受信した信号が弱いときには、複数の受信信号チェーンからの信号を合成して、移動ワイヤレス装置１０２に対して性能改善を与えることができる。しかしながら、複数の受信信号チェーンは、著しく多くのバッテリ電力を消費し、従って、状態が電力導出デフォールト構成として持続するのではなく保証されるときには、受信ダイバーシティを選択的に使用することができる。
【００２９】
図６は、合成ＵＭＴＳ／ＧＳＭ（登録商標）ネットワークにおいてＵＥ２０２のプロトコルスタックの無線リソースコントロール（ＲＲＣ）部分に対して多数の状態を有する状態移行図６００である。ＵＥ２０２は、非接続ＩＤＬＥ状態６２４、ＵＴＲＡ  ＲＲＣ接続状態６１０又はＧＳＭ接続状態６１６にある。ＩＤＬＥ状態６２４において、ＵＥ２０２は、ＵＥ２０２とＵＴＲＡＮ２４２との間で交換するデータが得られるときにワイヤレスネットワークと通信するための無線リソースを確立するためにＲＲＣ接続を要求する。ＲＲＣ接続の確立は、ＵＥ２０２のアプリケーションがネットワークへデータを送信するか又はネットワークからデータを検索するための接続を要求するとき、移動音声接続を開始するとき、及び外部データネットワークから得られるデータを指示するページをＵＴＲＡＮ２４２又はＳＧＳＮ２２４からページングチャンネルを経て受け取った後にＵＥ２０２の接続を終了させるときに、行われる。ＵＥ２０２が無線接続を確立する要求をＵＴＲＡＮ２４２へ送信すると、ＵＴＲＡＮ２４２は、ＲＲＣ接続に対して状態を選択することができる。ＵＴＲＡ  ＲＲＣ接続状態は、４つの個別の状態、即ちＣＥＬＬ＿ＤＣＨ状態６０６、ＣＥＬＬ＿ＦＡＣＨ状態６０８、ＣＥＬＬ＿ＰＣＨ状態６０４、及びＵＲＡ＿ＰＣＨ状態６０２を含む。
【００３０】
ＩＤＬＥ状態６２４におけるＵＴＲＡＮ「キャンプ(camped)」状態６１２から、ＵＥ２０２は、ＣＥＬＬ＿ＦＡＣＨ状態６０８へ移行し、ここでは、初期データ転送を行い、それに続いて、ワイヤレスネットワークは、データ転送継続のためにどのＲＲＣ接続状態を使用すべきか決定する。ワイヤレスネットワークは、ＵＥ２０２をセル専用チャンネル（ＣＥＬＬ＿ＤＣＨ）状態６０６へ移動するか、又はＵＥ２０２をセル順方向アクセスチャンネル（ＣＥＬＬ＿ＦＡＣＨ）状態６０８に保持する。ＣＥＬＬ＿ＤＣＨ状態６０６では、データを交換するためにアップリンク及びダウンリンクの両方に対して専用チャンネルがＵＥ２０２に割り当てられる。ＣＥＬＬ＿ＤＣＨ状態６０６は、専用の物理的チャンネルがＵＥ２０２に割り当てられて、典型的に、他の状態より多くのバッテリ電力をＵＥ２０２から消費し、且つＩＤＬＥ状態６２４より著しく多くのバッテリ電力を消費する。或いは又、ＵＥ２０２をＣＥＬＬ＿ＤＣＨ状態に入れるのではなく、ＵＴＲＡＮ２４２は、ＵＥ２０２をＣＥＬＬ＿ＦＡＣＨ状態６０８に維持する。ＣＥＬＬ＿ＦＡＣＨ状態６０８では、ＵＥ２０２に割り当てられる専用チャンネルはない。むしろ、共通のチャンネルを使用して、比較的小さなデータバーストでシグナリングを送信することができる。しかしながら、ＵＥ２０２は、ＣＥＬＬ＿ＦＡＣＨ状態６０８において共通のチャンネルを監視し続け、それ故、ＵＥ２０２は、別の選択状態、即ちＣＥＬＬ＿ＰＣＨ状態６０４及びＵＲＡ＿ＰＣＨ状態６０２よりも、且つＩＤＬＥ状態６２４に比して、多くのバッテリ電力を消費する。
【００３１】
図７は、複数の無線セクタ１０４を有するワイヤレスネットワーク７００において移動ワイヤレス装置１０２を示している。移動ワイヤレス装置１０２は、個別の無線セクタ１０４を各々発生する複数の無線アクセスサブシステム１０６から信号を受信する。各無線セクタ１０４は、異なる高周波キャリア及び／又は異なるスクランブルコードを使用し、そして移動ワイヤレス装置１０２は、各無線セクタ１０４から受信した信号の強度を測定して、どの無線セクタ１０４に接続すべきか決定する。移動ワイヤレス装置１０２に接近した無線アクセスサブシステム１０６から受信される信号は、典型的に、強い信号強度で到達するが、より遠くの無線セクタ１０４にある無線アクセスサブシステム１０６１０６から受信される信号は、弱い信号強度で到着する。移動ワイヤレス装置１０２がワイヤレスネットワーク７００全体にわたって移動するときには、種々の無線アクセスサブシステム１０６からの信号の強度が変化し、移動ワイヤレス装置１０２は、受信信号の強度を周期的に測定し、そして移動ワイヤレス装置１０２を接続できる無線セクタのリストをランク付けする。
【００３２】
ＩＤＬＥ状態６２４、ＣＥＬＬ＿ＰＣＨ状態６０４、又はＵＲＡ＿ＰＣＨ状態６０２において、移動ワイヤレス装置１０２は、不連続受信（ＤＲＸ）サイクルを使用して、電力消費を減少することができる。各ＤＲＸサイクルの間に、移動ワイヤレス装置１０２は、「スリープ」モードから「アウェイク」し、それが「キャンプ」できる（即ち、以前に関連した）無線セクタ１０４を取得し、そして受信すべき音声入呼び又はペンディングデータを指示するページングメッセージについてページングインジケータチャンネルを監視することができる。弱い受信信号強度のエリアでは、移動ワイヤレス装置１０２によりページングチャンネルをデコードすることが失敗となる。このケースでは、デフォールト一次アンテナ及び一次受信信号チェーンを通るのではなく、二次アンテナ及び二次受信信号チェーンのような別の経路を通る受信信号が、より強い信号を受信しそしてページングチャンネルを潜在的に正しくデコードする付加的な機会を与えることができる。
【００３３】
ＤＲＸサイクル中に、移動ワイヤレス装置１０２は、隣接無線セクタ１０４（移動ワイヤレス装置１０２が現在キャンプし又は接続されている無線セクタ１０４とは異なる無線セクタ１０４）の測定も行う。各無線セクタ１０４からの信号の測定値は、対応する無線セクタ１０４を発生する無線アクセスサブシステム１０６により連続的に送信される共通のパイロットチャンネル（ＣＰＩＣＨ）の受信に基づく。典型的な電力測定値は、受信信号コード電力（ＲＳＣＰ）と、信号対雑音／干渉比（Ｅｃ／Ｎｏ又はＥｃ／Ｉｏ）とを含む。電力消費を最少にするために、移動ワイヤレス装置１０２は、デフォールト一次アンテナ及び一次受信信号チェーンを使用して隣接無線セクタ１０４の測定を行う。一次アンテナ及び一次受信信号チェーンを通して受信した信号が弱いときには、以下に詳細に述べるように、移動ワイヤレス装置１０２は、二次アンテナ及び二次受信信号チェーンを通して、異なるＤＲＸサイクルに対して一次アンテナと二次アンテナとの間のスイッチングを測定する。更に、両アンテナを同時に使用することで、付加的な受信ダイバーシティ測定を行うことができる。複数のアンテナ、受信信号チェーン、及び受信ダイバーシティの選択的な使用は、ページングチャンネルデコーディング及び無線セクタパイロットチャンネル測定の両方に適用することができる。
【００３４】
図８は、一連の次々のＤＲＸサイクル８０２に対して移動ワイヤレス装置１０２の２つの異なるアンテナ（及びその関連受信信号チェーン）間の異なるスイッチングレートを示す。最初にスイッチングパターン８００で示すように、移動ワイヤレス装置１０２は、各ＤＲＸサイクル８０２の間に一次アンテナ８０４を使用する。ＤＲＸサイクル８０２の間に、移動ワイヤレス装置１０２は、共通パイロットチャンネル上で受信信号の強度を測定し、そしてページングインジケータチャンネル上でページング指示メッセージを聴取する。一次アンテナ８０４は、その一次アンテナ８０４を通して測定された信号の強度が第１の所定スレッシュホールド値を越えたときに移動ワイヤレス装置１０２によって使用される。一次アンテナ８０４を通して受信測定された信号の強度が充分に強いときには、二次アンテナ８０６が要求されない。アンテナを通して受信した信号強度の測定値は、ＤＲＸサイクルの移動ウインドウにわたって平均化され、従って、瞬時信号強度ではなくて平均受信信号強度を使用して、移動ワイヤレス装置１０２の異なるアンテナ間のスイッチングレートを決定することができる。
【００３５】
一次アンテナ８０４を通して測定された信号強度が第１の所定スレッシュホールドより下がると、移動ワイヤレス装置１０２は、第２のアンテナ８０６及びそれに関連する二次受信信号チェーンを通して受信した信号の強度を測定する。移動ワイヤレス装置１０２は、移動ワイヤレス装置１０２内又はその上の異なる位置に配置された別のアンテナよりも１つのアンテナを通して信号を強く受信できるように物理的に方向付けされる。例えば、一次アンテナ８０４は、少なくとも部分的に遮蔽されるが、二次アンテナ８０６は、信号受信に対してオープンになるようにする。二次アンテナ８０６は、あるＤＲＸサイクル中にイネーブルされるが、一次アンテナ８０４は、他のＤＲＸサイクル中にイネーブルされる。従って、移動ワイヤレス装置１０２は、一次アンテナ８０４と二次アンテナ８０６との間で受信をスイッチングすることができる。スイッチングパターン８１０で示したように、移動ワイヤレス装置１０２は、各Ｎ＝４ＤＲＸサイクル８０２のうちの１つに二次アンテナ８０６を使用するようにスイッチングすることができる。一次アンテナ８０４と二次アンテナ８０６との間のスイッチングのレートは、測定受信信号強度に基づいて変更することができる。特に、スイッチレートは、一次アンテナ８０４の測定受信信号強度に依存する。一次アンテナ８０４を通して受信測定された信号の強度が第１の所定スレッシュホールドより下がると、移動ワイヤレス装置１０２は、二次アンテナ８０６による測定の頻度を上げる。従って、一次アンテナ８０４を通して受信測定された信号の強度が下がるにつれて、Ｎの値を増加し、二次アンテナ８０６による測定頻度を上げることができる。
【００３６】
一次アンテナ８０４を通して受信した信号の測定強度が第２の所定スレッシュホールドより下がると、移動ワイヤレス装置１０２は、スイッチングパターン８２０で示したように、一次アンテナ８０４による測定と二次アンテナ８０６による測定との間を等しく交番させることができる。一実施形態では、移動ワイヤレス装置１０２は、一次アンテナ８０４を１００％（即ち、完全に）と５０％（即ち、２つのアンテナを等しく使用）との間で使用するように一次アンテナ８０４と二次アンテナ８０６との間のスイッチレートを変化させる。別の実施形態では、アンテナを通して受信した信号の強度に基づき、移動ワイヤレス装置１０２は、一次アンテナを１００％まで使用するか又は二次アンテナを１００％まで使用し、従って、一次アンテナの使用を１００％と０％との間で変化させることができる。スイッチパターン８３０は、ＤＲＸサイクル８０２の１００％について二次アンテナを使用することを示している。ある実施形態では、移動ワイヤレス装置１０２は、一次アンテナ受信測定信号強度の範囲に対して一次アンテナを１００％と５０％との間で使用することができ、移動ワイヤレス装置１０２は、次いで、一次アンテナを通して受信した信号のデコーディングがほぼゼロであるときに二次アンテナを１００％使用するようにスイッチすることができる。
【００３７】
図９は、一次アンテナ測定信号強度９０４を一次アンテナ使用パーセンテージ９０２に関係付けるグラフ９００を示す。一次アンテナ測定信号強度９０４は、ＤＲＸサイクルの弱い周期中に決定された移動ワイヤレス装置１０２により受信したパイロット信号の計算された移動平均である。一次アンテナ測定信号強度９０４が第１レベル「スレッシュホールド１」を越えると、移動ワイヤレス装置１０２は、一次アンテナを１００％使用し、そして二次アンテナを０％使用する。一次アンテナ測定信号強度９０４の値が第２レベル「スレッシュホールド２」と第１レベル「スレッシュホールド１」との間である場合には、移動ワイヤレス装置１０２は、異なるＤＲＸサイクル中に一次アンテナの使用と二次アンテナの使用との間を交番する。一次アンテナと二次アンテナとの間のスイッチレートは、一次アンテナ測定信号強度９０４の値に基づいて変化する。図９に示すように、一次アンテナ使用パーセンテージ９０２は、スレッシュホールド１の一次アンテナ信号強度９０４における１００％使用から、スレッシュホールド２の一次アンテナ信号強度９０４における５０％使用まで直線的に減少する（曲線９０６）。又、図９に示す段階的曲線９０８のような、一次アンテナ信号強度９０４と一次アンテナ使用パーセンテージ９０２との間の別のマッピングを使用することもできる。一次アンテナ測定信号強度９０４が第２レベルスレッシュホールド２より下がると、一次アンテナ使用パーセンテージ９０２は、５０％となり、このケースでは、移動ワイヤレス装置１０２は、一次アンテナの使用と二次アンテナの使用との間で等しく交番する。一次アンテナで受信した信号を使用してデコーディングする成功率がほぼゼロであるときには、移動ワイヤレス装置１０２は、二次アンテナを１００％使用することにスイッチし、即ち一次アンテナからの信号が信頼できないときには、一次アンテナ使用９０２が０％に下がる。
【００３８】
移動ワイヤレス装置１０２がサービスを失い、即ちワイヤレスネットワーク１００の無線セクタ１０４に関連しないときには、「サービス休止」状態が決定される。移動ワイヤレス装置１０２は、最初にパワーオンスタートアップ時に、及びＤＲＸサイクル中にアウェイクしそして関連する無線セクタを探索できないときにも、「サービス休止」を決定する。サービス休止状態は、ある期間に及ぶ移動ワイヤレス装置１０２による１つ以上の測定値に基づいて決定される。複数のアンテナをもつ移動ワイヤレス装置１０２では、サービス休止状態を決定するための測定に複数のアンテナのどれを使用するか選択することができる。どのアンテナが最も強い平均受信信号電力を与えるかを使用して、サービス休止状態を決定することができる。従って、一次アンテナを通して受信した信号が弱くそして二次アンテナがより強い受信信号を与えるときには、サービス休止状態を決定するときに、一次アンテナではなく、二次アンテナを使用することができる。この具現化では、一次アンテナのみに依存してサービス休止状態を決定するのではなく、別のアンテナが充分な信号強度を与えるときに環境においてサービス休止状態を回避することができる。
【００３９】
サービス休止状態が決定されると、移動ワイヤレス装置１０２は、完全な受信ダイバーシティをイネーブルし、即ち複数のアンテナ及び受信信号チェーンを一緒に使用し、関連付け及び／又は接続すべき適当な無線セクタを素早く探すことができる。一実施形態では、移動ワイヤレス装置１０２は、無線セクタを検出するのに使用される受信信号の相関が所定スレッシュホールドより下がったときだけ複数のアンテナ及び受信信号チェーンを使用する完全な受信ダイバーシティをイネーブルすることができる。従って、移動ワイヤレス装置１０２は、最初、サービス休止状態の間にアンテナの１つを使用するか、又は複数のアンテナの各々を通して循環し、無線セクタサーチ中の電力消費を最少にすることができる。その後、移動ワイヤレス装置１０２は、単一のアンテナで充分な信号強度を与えることができないときに複数のアンテナ及びそれに関連する受信信号チェーンを使用することができる。
【００４０】
ＣＤＭＡ２０００システムでは、移動ワイヤレス装置１０２（移動ステーション３０２と同等）は、移動ワイヤレス装置１０２が所定の期間内にパイロットを取得できないときにパイロット取得失敗状態を宣言する。所定の期間は、ワイヤレスネットワークによってセットされ、約１５秒である。パイロットが失われると、移動ワイヤレス装置１０２は、ワイヤレスネットワークを再取得するためにシステム決定モードに入る。移動ワイヤレス装置１０２が最初にパワーオンするときにも、同じシステム決定モードプロセスが使用される。図１０は、パイロット取得失敗が起きたときに生じる移動ワイヤレス装置１０２の状態移行図である。最初に、状態１００２において、移動ワイヤレス装置１０２は、ワイヤレスネットワークに関連付けされておらず、これは、パワーオンスタートアップ時に生じるか、又は移動ワイヤレス装置１０２が以前に関連していたシステムとの接続を失った後に生じる。移動ワイヤレス装置１０２は、システム決定状態１００４に入り、ここで、移動ワイヤレス装置１０２は、関連付けるべきワイヤレスシステムの形式を選択する。異なるワイヤレスネットワークが、ＧＳＭ、ＵＭＴＳ、ＣＤＭＡ２０００、ＬＴＥ、等の異なる通信技術を使用することができる。移動ワイヤレス装置１０２は、それがサポートできる多数の異なるワイヤレス通信技術の中で選択を行うことができる。
【００４１】
システムが選択されると、移動ワイヤレス装置１０２は、パイロットチャンネル取得状態１００６に入る。移動ワイヤレス装置１０２は、移動ワイヤレス装置１０２内に収容された１つ以上のアンテナ及びそれに関連する受信信号チェーンを使用して、ワイヤレスネットワークの１つ以上の無線セクタからパイロット信号をサーチする。１つの実施形態において、移動ワイヤレス装置１０２は、第１アンテナ及び第２アンテナの両方を経て受信した信号のレベルを測定する。第１アンテナを通して受信測定された信号のレベルが第１の所定スレッシュホールドより下がるとき、及び第２アンテナを通して受信測定された信号のレベルが、第１アンテナを通して受信測定された信号のレベルを少なくとも第２の所定スレッシュホールド越えるときには、移動ワイヤレス装置１０２は、第２アンテナを通してパイロットを取得しようと試みる。従って、移動ワイヤレス装置１０２は、第１アンテナを通して受信した信号がパイロットを取得するには弱過ぎそして第２アンテナを通して受信した信号が第１アンテナを通して受信した信号より所定量強いときには、第２アンテナを使用する。移動ワイヤレス装置１０２は、それが第２アンテナを使用してパイロットを取得し損なうと、第１アンテナ及び第２アンテナの両方（並びにそれに関連した各受信信号チェーン）を通して信号を同時に受信するように完全な受信ダイバーシティをイネーブルする。両アンテナからの信号を合成することで、パイロット取得を改善できると共に、両アンテナを選択的に使用することで、電力消費を必要な環境に制限することができる。
【００４２】
パイロットチャンネル取得が失敗したときには、移動ワイヤレス装置１０２は、システム決定状態１００４へ戻り、再びシステムを選択する。パイロットチャンネル取得が成功すると、移動ワイヤレス装置１０２は、更なる初期化状態（図１０の更なる初期化状態１００８において概略を述べた）を通して進む。初期化が完了すると、移動ワイヤレス装置１０２は、アイドル状態１０１０に入る。
【００４３】
図１１は、移動ワイヤレス装置１０２において複数のアンテナ及びそれに関連する受信信号チェーンの使用を適応させる方法１１００の代表的な実施形態を示す。最初に、移動ワイヤレス装置１０２は、ワイヤレスネットワークにおいて動作し、そしてデフォールトにより、アンテナの１つ及びそれに関連した受信信号チェーン（例えば、一次アンテナ）を使用する。移動ワイヤレス装置１０２は、一次アンテナを通して受信した信号の電力を測定する等により信号特性を決定する。測定は、一連の不連続受信（ＤＲＸ）サイクル中のように、離間された異なる時間間隔中に行われる。移動ワイヤレス装置１０２は、移動ウインドウにわたって受信測定された信号を平均化し、それにより、受信信号電力における瞬時測定変化を平滑化する。移動ワイヤレス装置１０２は、ステップ１１０２において、一次アンテナ（及びそれに関連した受信信号チェーン）を経て受信測定された信号電力の移動平均を第１の所定スレッシュホールドと比較する。受信測定された信号電力の移動平均が第１の所定スレッシュホールドを越えると、移動ワイヤレス装置１０２は、ステップ１１０４において、一次アンテナを通して受信した信号を使用する。受信信号が充分に強い場合には、移動ワイヤレス装置１０２は、一次アンテナを通して受信した信号のみに依存し、一次アンテナに対する関連受信信号チェーンをイネーブルすると共に、他のアンテナに関連した他の受信信号チェーンをディスエイブルして、バッテリの電力消費を制限する。
【００４４】
一次アンテナからの測定された受信信号電力の平均が第１の所定スレッシュホールドより下がることがステップ１１０２において決定されると、移動ワイヤレス装置１０２は、ステップ１１０４において、一次アンテナからの測定された受信信号電力の平均を第２の所定スレッシュホールドと比較する。一次アンテナからの測定された受信信号電力の平均が第２の所定スレッシュホールドを越える（且つ第１の所定スレッシュホールドより下がる）ときには、移動ワイヤレス装置１０２は、ステップ１１０６に示したように、選択的ＤＲＸサイクルに対して受信信号電力を測定するために二次アンテナを使用する。移動ワイヤレス装置１０２は、受信信号電力を測定するとき一連の次々のＤＲＸサイクルの間に一次アンテナと二次アンテナとの間を等しくスイッチングする。第１及び第２の所定スレッシュホールド間の値の範囲内では、移動ワイヤレス装置１０２は、一次アンテナを通して受信測定された信号電力の高い平均値に対して一次アンテナをより頻繁に使用する。一次アンテナを通して受信測定された信号電力の平均が減少して、一次アンテナからの信号が弱いことを示すときには、移動ワイヤレス装置１０２は、二次アンテナの使用を増加させる。
【００４５】
一次アンテナを通して受信測定された信号電力の平均が第２の所定スレッシュホールドより下がったとき、及び一次アンテナを通して受信測定された信号電力の平均が二次アンテナを通して受信測定された信号電力の平均を越えたときには、移動ワイヤレス装置１０２は、ステップ１１１０に示すように、一次アンテナ及び二次アンテナの両方からの信号を等しく使用する。ステップ１１１２において、移動ワイヤレス装置１０２は、一次アンテナを通して受信された信号に対する所定のデコーディングスレッシュホールドを満足しないかどうか決定する。一次アンテナを通して受信された信号が所定のデコーディングスレッシュホールドより下がる（又はそれと同等であるが、測定されたデコーディングエラー率が所定のデコーディングエラー率スレッシュホールドを越える）ときには、移動ワイヤレス装置１０２は、ステップ１１１４に示すように、各ＤＲＸサイクル中に二次アンテナを通して受信された信号を使用するようにスイッチングする。或いは又、ステップ１１１２において、移動ワイヤレス装置１０２は、二次アンテナを通して受信測定された信号の平均が一次アンテナを通して受信測定された信号の平均を越えると決定すると、各ＤＲＸサイクルに対して二次案点を使用する。
【００４６】
ステップ１１１６において、移動ワイヤレス装置１０２は、一次アンテナ及び二次アンテナの両方を通して受信された信号のデコーディングが所定のデコーディングスレッシュホールドより下がったときにサービス休止状態が存在すると決定する。いずれかの信号を通して受信した信号を適切にデコードできないときには、移動ワイヤレス装置１０２は、ステップ１１１８において、サービス休止回復プロセスをスタートさせる。移動ワイヤレス装置１０２は、ワイヤレスネットワークの無線セクタにより送信されたパイロット信号をサーチし、そしてステップ１１２０において、受信信号の相関を、所定の相関スレッシュホールドと比較する。１つのアンテナを通して受信した信号の測定されたピーク相関が所定の相関スレッシュホールドより低い場合には、移動ワイヤレス装置１０２は、ステップ１１２２において、２つ以上のアンテナを通して受信した信号を受け取って相関させることにより完全な受信ダイバーシティをイネーブルする。受信信号の測定されたピーク相関が所定の相関スレッシュホールドを越えるときには、この方法は、ステップ１１２４において、サービス休止回復プロセスを完了するように続行する。サービス休止回復プロセスは、接続及びキャンピングすべきワイヤレスネットワークセル／セクタを識別することができる。移動ワイヤレス装置１０２は、それがセル／セクタにキャンピングすると、ステップ１１２６において、受信ダイバーシティをディスエイブルし、この方法が終了となる。
【００４７】
図１１に概略を示した方法１１００は、２つの別々の組のステップを含み、第１組のステップでは、移動ワイヤレス装置１０２は、一次アンテナ及び二次アンテナを通して受信測定された信号電力の平均に基づいてＤＲＸサイクル中に一次アンテナ及び二次アンテナの使用を決定し、そして第２組のステップでは、移動ワイヤレス装置１０２は、サービス休止状態の間に複数のアンテナを選択的にイネーブルする。第１組のステップは、ステップ１１０２ないし１１１４において概略が述べられ、第２組のステップは、ステップ１１１６ないし１１２６において概略が述べられている。この方法のある実施形態では、第１組及び第２組のステップが個々に且つ独立して使用され、一方、他のステップでは、２組のステップが組み合わせて使用される。各組のステップは、個別であっても組み合わせであっても、移動ワイヤレス装置１０２によって繰り返し遂行することができる。例えば、移動ワイヤレス装置１０２は、ステップ１１１８ないし１１２６においてアンテナ受信ダイバーシティをイネーブルしてサービス休止状態からの回復を開始しそして完了した後、ステップ１１０２以降でアンテナ受信ダイバーシティをディスエイブルして一次及び二次アンテナに対して信号強度を測定することに戻る。
【００４８】
図１２は、移動ワイヤレス装置１０２において複数のアンテナ受信ダイバーシティを選択的にイネーブルするための方法１２００を示す。最初、移動ワイヤレス装置１０２は、一次アンテナ及びそれに関連した一次受信信号チェーンを使用して、信号を受信しそしてデコーディングのために処理する。ステップ１２０２において、移動ワイヤレス装置１０２は、一次アンテナを通して受信した信号に対してＮ回の次々の試みにおいてページングチャンネルの試みが失敗したときを決定する。ステップ１２０４において、移動ワイヤレス装置１０２は、一次アンテナを使用することから、二次アンテナ及びそれに関連した二次受信信号チェーンを通してページングチャンネルデコーディングのために信号を受信することへとスイッチする。ステップ１２０６において、移動ワイヤレス装置１０２は、二次アンテナを通して受信する信号に対するＮ回の試みにおいてもページングチャンネルの試みが失敗するときを決定する。一次アンテナも、二次アンテナも、それ単独では、適切なページングチャンネルデコーディングを与えることができないので、ステップ１２０８において、移動ワイヤレス装置１０２は、一次及び二次の両アンテナを通して信号を受信することにより完全な受信ダイバーシティをイネーブルする。移動ワイヤレス装置１０２は、一次アンテナ及び二次アンテナの両方を通して受信した信号を合成して、ページングチャンネルのデコーディングを改善することができる。図１２に示す方法１２００は、異なるワイヤレス通信規格を使用する異なるワイヤレスネットワークに使用される。１つの実施形態において、方法１２００は、クイックページングチャンネル（ＱＰＣＨ）又はページングチャンネル（ＰＣＨ）を受信するためにＣＤＭＡ２０００ワイヤレスネットワーク３００で動作する移動ステーション３０２に適用される。別の実施形態では、方法１２００は、ページングインジケータチャンネル（ＰＩＣＨ）を受信するためにＵＭＴＳワイヤレスネットワーク２００で動作するユーザ装置２０２に適用される。
【００４９】
図１３は、移動ワイヤレス装置１０２において複数のアンテナ間をスイッチするための代表的な方法１３００を示す。ステップ１３０２において、移動ワイヤレス装置１０２は、一連の次々の不連続受信（ＤＲＸ）サイクルの各サイクル中に１つ以上のアンテナから受信した信号を測定する。一実施形態では、測定された信号は、複数のＤＲＸサイクルにわたって平均化される。ステップ１３０４において、移動ワイヤレス装置１０２は、測定された信号に基づいて一次アンテナの使用と二次アンテナの使用との間のスイッチレートを変化させる。一実施形態において、移動ワイヤレス装置１０２は、測定された信号強度がより強いアンテナを通して信号をより頻繁に受信し測定するように選択する。移動ワイヤレス装置１０２は、一次アンテナ及び二次アンテナを通る信号の受信間を、１つ以上のアンテナを通して測定される信号に基づくスイッチレートで、例えば、一次アンテナ受信信号強度に基づいて、スイッチさせる。ステップ１３０６において、移動ワイヤレス装置１０２は、一次アンテナを通して受信した信号を適切にデコードできるかどうか決定する。一次アンテナを通して受信した信号を適切にデコードできないときには、移動ワイヤレス装置１０２は、ステップ１３０８において、二次アンテナを通して受信した信号をデコードすることにスイッチする。
【００５０】
図１４は、移動ワイヤレス装置１０２においてページデコーディングのために複数のアンテナを使用する代表的な方法１４００を示す。ステップ１４０２において、移動ワイヤレス装置１０２は、一連の次々のページサイクル中に第１アンテナを通してページインジケータを受信し且つ第２アンテナを通してページインジケータを受信する。ステップ１０４において、移動ワイヤレス装置１０２は、一連の次々のページサイクルにおける第１の複数のページサイクルの間に第１アンテナを通して受信したページインジケータをデコードする。ステップ１４０６において、移動ワイヤレス装置１０２は、第１アンテナを通して受信した信号をデコードできるかどうか決定する。第１アンテナを通して受信した信号をデコードできないときには、移動ワイヤレス装置１０２は、ステップ１４０８において、一連の次々のページサイクルにおける第２の複数のページサイクルの間に第２アンテナを通して受信したページインジケータをデコードする。ステップ１４１０において、移動ワイヤレス装置１０２は、第２アンテナを通して受信した信号をデコードできるかどうか決定する。第２アンテナを通して受信した信号をデコードできないときには、移動ワイヤレス装置１０２は、ステップ１４１２において、第１アンテナ及び第２アンテナを通して受信したページインジケータを一緒にデコードし、ページデコーディングを改善するように受信ダイバーシティをイネーブルする。
【００５１】
図１５は、移動ワイヤレス装置１０２における複数のアンテナ及びそれに関連した受信信号回路を選択的に使用してバッテリ電力を保存する代表的な方法を示す。ステップ１５０２において、移動ワイヤレス装置１０２は、アナログ受信回路に接続された少なくとも１つのアンテナを通して受信した信号を測定する。ステップ１５０４において、移動ワイヤレス装置１０２は、その測定された受信信号に基づいて移動ワイヤレス装置１０２のアナログ受信回路をイネーブル及びディスエイブルする。ある実施形態では、移動ワイヤレス装置１０２は、一度に１つのアンテナを通してアナログ受信回路を選択的にイネーブルするだけである。他の実施形態では、移動ワイヤレス装置１０２は、弱い信号カバレージのエリアにおいて信号の改善された受信及び／又はデコーディングのために完全な受信ダイバーシティを与えるように複数のアンテナをイネーブルする。ステップ１５０６において、移動ワイヤレス装置１０２は、一次アンテナを通して受信した測定信号に基づき複数の各アンテナ間のスイッチレートを変化させる。一次アンテナを通して測定された信号が変化するときには、移動ワイヤレス装置１０２は、受信及びデコーディング性能を改善するために付加的なアンテナを選択的にイネーブル又はディスエイブルする。
【００５２】
ここに述べる実施形態の種々の態様、実施形態、具現化又は特徴は、個別に又は任意の組み合わせで使用することができる。以上の記述は、説明上、本発明を完全に理解するために特定の術語を使用した。しかしながら、当業者であれば、本発明を実施するのに特定の細部は要求されないことが明らかであろう。従って、本発明の特定の実施形態の以上の説明は、例示のために提示されたものである。それらは、余すところのないものでもないし、又、本発明をここに開示する厳密な形態に限定するものでもない。以上の教示に鑑み多数の変更や修正が考えられることが当業者に明らかであろう。
【００５３】
以上の実施形態は、本発明の原理及びその実際の応用を最良に説明するために選択されて記述されたものであり、従って、当業者であれば、本発明及び種々の実施形態を、意図される特定の用途に合うように種々の変更を加えて最良に利用することができよう。
【符号の説明】
【００５４】
１００：一般的なワイヤレス通信ネットワーク
１０２：移動ワイヤレス装置
１０４：無線セクタ
１０６：無線アクセスサブシステム
１０８：無線ノード
１１０：無線コントローラ
１１２：コアネットワーク
１１６：公衆データネットワーク（ＰＤＮ）
１１８：回路交換センタ
１２０：パケット交換ノード
１２２：回路交換ドメイン
１２４：パケット交換ドメイン
１２６：無線リンク
１２８：無線アクセスネットワーク
２００：ＵＭＴＳワイヤレス通信ネットワーク
２０２：ユーザ装置（ＵＥ）
２０４、２１４：無線ネットワークサブシステム（ＲＮＳ）
２０６、２１０、２１６：ＮｏｄｅＢ（ベースステーション）
２０８、２１２：無線ネットワークコントローラ（ＲＮＣ）
２２４：ＳＧＳＮ
２２６：ＧＧＳＮ
２２８：移動交換センタ（ＭＳＣ）
２３０：ゲートウェイ移動交換センタ（ＧＭＳＣ）
２３２：公衆交換電話ネットワーク（ＰＳＴＮ）
２３４：パケットデータネットワーク（ＰＤＮ）
２３６：コアネットワーク（ＣＮ）
２３８：回路交換ドメイン
２４０：パケット交換ドメイン
２４２：ＵＭＴＳ地上無線アクセスネットワーク（ＵＴＲＡＮ）
２４４：セル
３００：ＣＤＭＡ２０００ワイヤレスネットワーク
３０２：移動ステーション
３０４：無線セクタ
３０６：ベースステーションサブシステム（ＢＳＳ）
３０８：ベーストランシーバステーション（ＢＴＳ）
３１０：ベースステーションコントローラ
３１２：コアネットワーク
３１８：移動交換センタ（ＭＳＣ）
３２０：パケットデータサービスノード（ＰＤＳＮ）
３２２：回路交換ドメイン
３２４：パケット交換ドメイン
３２６：高周波リンク
【図１】
2014524207.tif 000003
【図２】
2014524207.tif 000004
【図３】
2014524207.tif 000005
【図４】
2014524207.tif 000006
【図５】
2014524207.tif 000007
【図６】
2014524207.tif 000008
【図７】
2014524207.tif 000009
【図８】
2014524207.tif 000010
【図９】
2014524207.tif 000011
【図１０】
2014524207.tif 000012
【図１１】
2014524207.tif 000013
【図１２】
2014524207.tif 000014
【図１３】
2014524207.tif 000015
【図１４】
2014524207.tif 000016
【図１５】
2014524207.tif 000017
【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
ワイヤレスネットワークと通信する移動ワイヤレス装置の複数のアンテナを通して受信した信号を測定する方法であって、
一連の不連続受信サイクルの各サイクル中に一次アンテナ及び二次アンテナの少なくとも１つを通して受信した信号を測定する段階と、
前記測定された受信信号に基づいて一次アンテナと二次アンテナとの間の測定をコントロールするスイッチレートを変化させる段階と、
一次アンテナで受信した信号を首尾良くデコードできないときに、二次アンテナで受信した信号をデコードするようにスイッチする段階と、
を含む方法。
【請求項２】
信号を測定する前記段階は、ワイヤレスネットワークの無線ステーションから受信したパイロット信号に対する信号強度の移動平均を計算することを含み、及び
スイッチレートを変化させる前記段階は、一次アンテナを通して受信されたパイロット信号に対する前記計算された移動平均に少なくとも一部分基づく、
請求項１に記載の方法。
【請求項３】
一次アンテナを通して受信したパイロット信号の前記計算された移動平均が第１の所定スレッシュホールドを越えるときには、一次アンテナのみを通して信号を受信するように前記移動ワイヤレス装置のスイッチレートをセットする段階と、
一次アンテナを通して受信したパイロット信号の前記計算された移動平均が第２の所定スレッシュホールド以上であり且つ前記第１の所定スレッシュホールドより低いときには、一次及び二次の両アンテナから信号を不均一に受信するように前記移動ワイヤレス装置のスイッチレートをセットする段階と、
一次アンテナを通して受信したパイロット信号の前記計算された移動平均が前記第２の所定スレッシュホールドより低いときには、一次及び二次の両アンテナから信号を等しく受信するように前記移動ワイヤレス装置のスイッチレートをセットする段階と、
を更に含む請求項１又は２に記載の方法。
【請求項４】
前記一連の不連続受信サイクルの各サイクルの時間長さに基づいて一次アンテナと二次アンテナとの間で信号受信を交番するように前記移動ワイヤレス装置のスイッチレートをセットする段階を更に含む、請求項１、２又は３に記載の方法。
【請求項５】
前記スイッチレートは、前記一連の不連続受信サイクルの各サイクルの時間長さが増加するときに二次アンテナを通して信号を受信する頻度を高める、請求項４に記載の方法。
【請求項６】
前記移動ワイヤレス装置は、ＵＭＴＳワイヤレスネットワークにおいてＣＥＬＬ＿ＩＤＬＥ状態、ＵＴＲＡ＿ＰＣＨ状態、及びＣＥＬＬ＿ＰＣＨ状態の少なくとも１つで動作するときに前記一連の不連続受信サイクル中に一次アンテナと二次アンテナとの間のスイッチレートを変化させる、請求項３に記載の方法。
【請求項７】
一次アンテナで受信した信号を首尾良くデコードできないとき、及び二次アンテナで受信した信号を首尾良くデコードできないときには、サービス休止回復プロセスを開始する段階を更に含む、請求項１に記載の方法。
【請求項８】
前記サービス休止回復プロセスを開始した後に、
１つ以上のセルから一次アンテナを経て受信した信号の相関ピークを測定することによりワイヤレスネットワークにおいて利用可能なセルをサーチする段階と、
１つ以上のセルの前記測定された相関が第３の所定スレッシュホールドより低いときには、一次アンテナ及び二次アンテナの両方を経て受信した信号の相関ピークを測定することにより受信ダイバーシティをイネーブルする段階と、
を更に含む請求項７に記載の方法。
【請求項９】
一次アンテナに対して測定されたパイロット信号強度の移動平均が、二次アンテナに対して測定されたパイロット信号強度の移動平均を越えるときには、一次アンテナを通して受信した信号に基づいてサービス休止状態を決定する段階と、
二次アンテナに対して測定されたパイロット信号強度の移動平均が、一次アンテナに対して測定されたパイロット信号強度の移動平均を越えるときには、二次アンテナを通して受信した信号に基づいてサービス休止状態を決定する段階と、
を更に含む請求項８に記載の方法。
【請求項１０】
移動ワイヤレス装置の受信ダイバーシティを管理する方法であって、
一連の次々のページサイクル中に第１アンテナ及び第２アンテナの少なくとも１つを通してページインジケータチャンネルでページインジケータを受信する段階と、
第１の複数の次々のページサイクルに対して第１アンテナを通して受信したページインジケータをデコーディングする段階と、
第１アンテナを通して受信した信号に対してデコーディングが失敗したときに、第２の複数の次々のページサイクルに対して第２アンテナを通して受信したページインジケータをデコーディングする段階と、
第１及び第２アンテナを通して個々に受信した信号に対してデコーディングが失敗したときに、第１及び第２の両アンテナを通して一緒に受信したページインジケータをデコーディングする段階と、
を含む方法。
【請求項１１】
第１アンテナを通して信号を受信するとき移動ワイヤレス装置において第１の受信信号チェーンをイネーブルすると共に第２の受信信号チェーンをディスエイブルする段階と、
第２アンテナを通して信号を受信するとき移動ワイヤレス装置において第２の受信信号チェーンをイネーブルすると共に第１の受信信号チェーンをディスエイブルする段階と、
第１アンテナ及び第２アンテナの両方を通して信号を受信するとき移動ワイヤレス装置において第１及び第２の両受信信号チェーンをイネーブルする段階と、
を更に含む請求項１０に記載の方法。
【請求項１２】
ワイヤレスネットワークと通信する移動ワイヤレス装置において、
プロセッサと、
ワイヤレスネットワークとの通信を容易にするように構成されたワイヤレストランシーバと、
第１の受信信号回路に接続された一次アンテナと、
第２の受信信号回路に接続された二次アンテナと、
を備え、前記移動ワイヤレス装置は、
一連の不連続受信サイクルの各サイクル中に、前記第１の受信信号回路に接続された一次アンテナ、及び前記第２の受信信号回路に接続された二次アンテナの少なくとも１つを通して受信した信号を測定し、
一次アンテナ及び二次アンテナを通して受信した信号の測定間のスイッチングをコントロールするスイッチレートを前記測定された受信信号に基づいて変化させ、
一次アンテナを経て受信した信号を首尾良くデコードできないときに、二次アンテナを経て受信した信号をデコードすることにスイッチする、
ように構成された、移動ワイヤレス装置。
【請求項１３】
前記ワイヤレストランシーバは、ワイヤレスネットワークにおいて無線ステーションから受信したパイロット信号に対して信号強度の移動平均を計算することにより受信信号を測定し、
前記ワイヤレストランシーバは、前記計算された移動平均に少なくとも一部分基づいてスイッチレートを変化させる、請求項１２に記載の移動ワイヤレス装置。
【請求項１４】
前記ワイヤレストランシーバは、更に、
一次アンテナを通して受信したパイロット信号の強度の前記計算された移動平均が第１の所定スレッシュホールド以上であるときには、移動ワイヤレス装置の前記スイッチレートを、一次アンテナのみを通して信号を受信するようにセットし、
一次アンテナを通して受信したパイロット信号の強度の前記計算された移動平均が第２の所定スレッシュホールド以上であり且つ前記第１の所定スレッシュホールドより低いときには、移動ワイヤレス装置の前記スイッチレートを、一次アンテナ及び二次アンテナの両方から信号を不均一に受信するようにセットし、及び
一次アンテナを通して受信したパイロット信号の強度の前記計算された移動平均が第２の所定スレッシュホールドより低いときには、移動ワイヤレス装置の前記スイッチレートを、一次アンテナ及び二次アンテナの両方から信号を等しく受信するようにセットする、
ように構成された、請求項１３に記載の移動ワイヤレス装置。
【請求項１５】
前記ワイヤレストランシーバは、更に、一次アンテナを通しての信号の受信と、二次アンテナを通しての信号の受信との間の移動ワイヤレス装置の前記スイッチレートを、前記一連の不連続受信サイクルの各サイクルの時間の長さに基づいてセットするように構成される、請求項１４に記載の移動ワイヤレス装置。
【請求項１６】
一次アンテナを通しての信号の受信と、二次アンテナを通しての信号の受信との間の移動ワイヤレス装置の前記スイッチレートは、前記一連の不連続受信サイクルの各サイクルの時間の長さが増加するときに、二次アンテナの使用頻度を下げるものである、請求項１５に記載の移動ワイヤレス装置。
【請求項１７】
前記プロセッサは、一次アンテナを経て受信した信号を首尾良くデコードできず且つ二次アンテナを経て受信した信号を首尾良くデコードできないときにサービス休止回復プロセスを開始するように構成される、請求項１４に記載の移動ワイヤレス装置。
【請求項１８】
前記トランシーバは、更に、
１つ以上のセルから一次アンテナを経て受信した信号の相関ピークを測定することによりワイヤレスネットワークにおいて利用可能なセルをサーチし、及び
１つ以上のセルの前記測定された相関が第３の所定スレッシュホールドより低いときには、一次アンテナ及び二次アンテナの両方を経て受信した信号の相関ピークを測定することにより受信ダイバーシティをイネーブルする、
ように構成される、請求項１７に記載の移動ワイヤレス装置。
【請求項１９】
前記プロセッサは、更に、
一次アンテナに対して測定されたパイロット信号強度の計算された移動平均が、二次アンテナに対して測定されたパイロット信号強度の計算された移動平均を越えるときには、一次アンテナを通して受信した信号に基づいてサービス休止状態を決定し、及び
二次アンテナに対して測定されたパイロット信号強度の計算された移動平均が、一次アンテナに対して測定されたパイロット信号強度の計算された移動平均を越えるときには、二次アンテナを通して受信した信号に基づいてサービス休止状態を決定する、
ように構成された、請求項１８に記載の移動ワイヤレス装置。
【国際調査報告】
2014524207.tif 000018
2014524207.tif 000019
2014524207.tif 000020
2014524207.tif 000021